(57)【要約】【課題】  景品買取所において、交換額を分かりやすくするとともに、遊技場における出玉等の景品への交換レートと、景品買取所における買取可能景品や貴金属類の交換レートを明瞭にするための装置及びこれを備えた貴金属類売買システムを提供する。【解決手段】  複数の種類の買取可能景品のそれぞれについての小売価格及び買取価格を表示するための買取可能景品のレート表示部と、貴金属類の保護預かり口座の貴金属類の単位重量当たりの小売価格及び買取価格を表示するための貴金属類のレート表示部と、前記貴金属類の保護預かり口座を開設している貴金属商のサーバに入力された前記貴金属類の単位重量当たりの小売価格及び買取価格のデータを取得するための通信手段とを備えたことを特徴とする。【選択図】  図１
2010227185.tif 000002
【特許請求の範囲】
【請求項１】
複数の種類の買取可能景品のそれぞれについての小売価格及び買取価格を表示するための買取可能景品のレート表示部と、貴金属類の保護預かり口座の貴金属類の単位重量当たりの小売価格及び買取価格を表示するための貴金属類のレート表示部と、前記貴金属類の保護預かり口座を開設している貴金属商のサーバに入力された前記貴金属類の単位重量当たりの小売価格及び買取価格のデータを取得するための通信手段とを備えたことを特徴とする景品買取所用のレート表示装置。
【請求項２】
前記買取可能景品及び前記貴金属類は金地金により構成され、前記買取可能景品は前記金地金の重量に応じて複数の種類に分類されたことを特徴とする請求項１に記載の景品買取所用のレート表示装置。
【請求項３】
前記買取可能景品のレート表示部及び前記貴金属類のレート表示部としての表示部が４行２列に配置されるとともに前記表示部は矩形状のドットマトリックス又は７セグメントから構成されたことを特徴とする請求項１又は２に記載の景品買取所用のレート表示装置。
【請求項４】
請求項１乃至３の何れか１項に記載の景品買取所用のレート表示装置は、前記貴金属類の買取を行う買取用端末を介して、前記貴金属類の保護預かり口座を開設している前記貴金属商のサーバと接続されていることを特徴とする貴金属類売買システム。
【発明の詳細な説明】
【技術分野】
【０００１】
本発明は、景品買取所用のレート表示装置及びこれを備えた貴金属類売買システムに関する。
【背景技術】
【０００２】
従来、パチンコ店などの遊技場において、遊技者が得た出玉やコイン等の遊技媒体は、計数されて一般景品や買取可能景品と交換される。そして、後者の買取可能景品は、遊技場外に設置された古物商等である景品買取所において現金により買い取りが行われている（例えば、特許文献１）。
【０００３】
一方、上記買取可能景品の他に、近年では、遊技場において、遊技媒体の量と実質同等の価値のある金地金等の貴金属類に交換して貴金属商の口座に預けることができるようにしておき、当該口座から引き出して貴金属商の買取窓口や上記景品買取所において現金と交換することについての提案がされている（例えば、特許文献２及び特許文献３）。
【０００４】
しかしながら、景品買取所においては、複数の種類の買取可能景品が、それぞれいくらに換金されるかを紙に表示しているだけで、遊技者が持参した買取可能景品の枚数と合計金額が表示される装置（特許文献４）しかなかった。
【０００５】
また、遊技場において、遊技媒体が買取可能景品や貴金属類に交換された際の交換レートと、景品買取所において、買取可能景品や貴金属類が現金に交換された際の交換レートとが、一致していない場合には、現金への交換の際に、遊技者に不安感を与えるという問題があった。
【先行技術文献】
【特許文献】
【０００６】
【特許文献１】特許第２７５５９３０号公報（段落０００２）
【特許文献２】特開２００４−０１６４９０号公報（特許請求の範囲）
【特許文献３】特開２００７−２９６０１７号公報（特許請求の範囲）
【特許文献４】特開平７−２４６２８１号公報（段落００２０）
【発明の概要】
【発明が解決しようとする課題】
【０００７】
そこで、本発明は、景品買取所において、遊技者が予め交換額が幾らになるのかを確認しやすくし、遊技場における出玉等の景品への交換レート（小売額）と、景品買取所における買取可能景品や貴金属類の買取金額を明瞭にし、且つ、遊技者が契約している保護預かり口座の貴金属類のリアルタイムでの売買金額を確認することができる装置及びこれを備えた貴金属類売買システムを提供することを目的とする。
【課題を解決するための手段】
【０００８】
上記課題を解決するために、本発明は、請求項１に記載の通り、複数の種類の買取可能景品のそれぞれについての小売価格及び買取価格を表示するための買取可能景品のレート表示部と、貴金属類の保護預かり口座の貴金属類の単位重量当たりの小売価格及び買取価格を表示するための貴金属類のレート表示部と、前記貴金属類の保護預かり口座を開設している貴金属商のサーバに入力された前記貴金属類の単位重量当たりの小売価格及び買取価格のデータを取得するための通信手段とを備えたことを特徴とする。
請求項２に記載の本発明は、請求項１に記載の景品買取所用のレート表示装置において、前記買取可能景品及び前記貴金属類は金地金により構成され、前記買取可能景品は前記金地金の重量に応じて複数の種類に分類されたことを特徴とする。
請求項３に記載の本発明は、請求項１又は２に記載の景品買取所用のレート表示装置において、前記買取可能景品のレート表示部及び前記貴金属類のレート表示部としての表示部が４行２列に配置されるとともに前記表示部は矩形状のドットマトリックス又は７セグメントから構成されたことを特徴とする。
本発明の貴金属類売買システムは、請求項４に記載の通り、請求項１乃至３の何れか１項に記載の景品買取所用のレート表示装置は、前記貴金属類の買取を行う買取用端末を介して、前記貴金属類の保護預かり口座を開設している前記貴金属商のサーバと接続されていることを特徴とする。
【発明の効果】
【０００９】
本発明の景品買取所用のレート表示装置によれば、買取可能景品及び保護預かり口座に預けられた貴金属類の交換レート（買取額）及び遊技場での交換レート（小売額）を共に表示するので、買取可能景品及び保護預かり口座に預けられた貴金属類のいずれの買取額も一目で確認することができる。また、買取可能景品を全て貴金属類へ移行させる過程等の２種類の交換物を景品買取所において取り扱う場合であっても、いずれの交換レート（買取額）も明確に表示されるので、トラブルの発生を未然に防ぐことができる。また、本装置は、保護預かり口座を開設している貴金属商のサーバに通信手段を介して接続することができるように構成されているので、保護預かり口座に貴金属類を預けている者は、交換レート（買取額）が高い時を確認して売却することができる。
【図面の簡単な説明】
【００１０】
【図１】本発明のレート表示装置の一実施の形態の説明図
【図２】同装置の他の実施の形態の説明図
【図３】景品買取所における同装置の接続例を示す説明図
【図４】遊技場における同装置の接続例を示す説明図
【図５】同実施の形態に使用する交換レート表示装置の説明図
【発明を実施するための形態】
【００１１】
本発明のレート表示装置は、背景技術の項において記載した通り、遊技場で遊技者が獲得した遊技媒体を、買取可能景品又は貴金属類に交換し、景品買取所においてその交換された物を買い取る場合を前提としている。
このため、本装置は、複数の種類の買取可能景品のそれぞれについての小売価格及び買取価格を表示するための買取可能景品のレート表示部と、貴金属類の保護預かり口座の貴金属類の単位重量当たりの小売価格及び買取価格を表示するための貴金属類のレート表示部とを備えている。
【００１２】
複数の買取可能景品のそれぞれについての小売価格及び買取価格を表示するための買取可能景品のレート表示部は、遊技場において遊技者が獲得した遊技媒体を既存の買取可能景品に交換する場合に、遊技場において交換される買取可能景品の小売価格と、景品買取所における買取可能景品の買取価格とを表示するための表示部である。
従来の買取可能景品の小売価格について具体的に説明すると、遊技者が獲得した遊技媒体はジェットカウンターにより計数され、遊技媒体の総数が記載されたレシート等を、遊技場のＰＯＳレジスターを用いて買取可能景品と交換する際に、買取可能景品は、１００円、５００円及び１０００円等の単位で分類され、この買取可能景品の単位で、遊技場は遊技者に買取可能景品を交換する。従って、この買取可能景品の種類毎の単位が買取可能景品の小売価格となる。そして、通常、景品買取所においては、この買取可能景品は、小売価格と同額で買い取られるため、買取価格と小売価格とは同額の表示がされることになる。
【００１３】
貴金属類の保護預かり口座の貴金属類の単位重量当たりの小売価格及び買取価格を表示するための貴金属類のレート表示部は、貴金属商のサーバに記録されている貴金属の単位重量当たりの小売価格と、同サーバに記録されている貴金属の単位重量当たりの買取価格とを表示するための表示部である。
貴金属類の小売価格及び買取価格は、貴金属商のサーバに、日毎に、或いは、所定の時刻に入力され、このデータを、本装置が通信手段を介して取得する。この小売価格は、通常は、遊技場において、貴金属類の保護預かり口座を有する者が、獲得した遊技媒体を貴金属類への交換を希望した場合に、ＰＯＳレジスターから貴金属商のサーバに対して問い合わせた際の価格となるが、時間の経過により変動した場合に、景品買取所において、貴金属類の単位重量当たりの買取価格だけでなく、小売価格も併せて表示することとしている。
【００１４】
尚、本装置における通信手段は、貴金属商のサーバと通信できるものであれば公知のものを使用することができる。また、貴金属類の保護預かり口座は、貴金属商が開設したものであり、保護預かりを利用する者（遊技者）が、同口座を開設するための契約を行い、口座番号、本人名称及び暗証番号等により、同サーバが本人であることを認証するために必要な認証手段を備えるものであれば特に制限するものではない。また、本装置は、例えば、パソコン等の公知の通信手段として構成し、このパソコン等と他の通信回線を介して各レート表示部と接続するように構成してもよい。
また、本明細書において、貴金属類としては、例えば、金、銀、白金、パラジウム、ロジウム、イリジウム 、ルテニウム、オスミウム等が挙げられるが、貴金属商が交換する対象とするものであれば特に制限をするものではない。
【００１５】
次に、本発明について図面を参照して説明する。
図１は、本発明のレート表示装置１０を示すものである。図示されるように、同装置１０は、複数の種類の買取可能景品のそれぞれについての小売価格及び買取価格を表示するための買取可能景品Ａ〜Ｃのレート表示部１，２，３を備えている。図示したものでは、各買取可能景品の種類４，５，６を表示した表示部の右側に小売価格１（ａ），２（ａ），３（ａ）と買取価格１（ｂ），２（ｂ），３（ｂ）とを揃えて３行２列に配置されている。また、本装置１０は、貴金属類の保護預かり口座の貴金属類の単位重量当たりの小売価格及び買取価格を表示するための貴金属類のレート表示部７を備えている。図示したものでは、０．１ｇという表示の右側に、小売価格７（ａ）と買取価格７（ｂ）とを揃えて表示している。この貴金属類のレート表示部７に表示される交換額は、レート表示装置１０を設置する業者と取引関係のある貴金属商のサーバと通信手段を介してレート表示装置を接続することにより、このサーバに入力された当日又はその時点での貴金属類の交換額のデータを取得することにより表示されるものである。尚、図示しないが、この通信を行うために、レート表示装置は、イーサーネット等の公知の通信規格による通信を行うための通信手段を備えている。
上記レート表示装置１０によれば、買取可能景品及び保護預かり口座に預けられた貴金属類の交換レート（買取額）及び遊技場での交換レート（小売額）を共に表示するので、買取可能景品及び保護預かり口座に預けられた貴金属類のいずれの買取額も一目で確認することができる。また、買取可能景品を全て貴金属類へ移行させる過程等の２種類の交換物を景品買取所において取り扱う場合であっても、いずれの交換レート（買取額）も明確に表示されるので、トラブルの発生を未然に防ぐことができる。また、保護預かり口座を開設している貴金属商のサーバに通信手段を介して接続することができるように構成されているので、保護預かり口座に貴金属類を預けている者は、交換レート（買取額）が高い時を確認して売却することができる。
【００１６】
レート表示装置１０のレート表示部１，２，３，７については、上記の表示を行うことができるものであれば特に制限はなく、一例として、液晶、有機ＥＬやプラズマ等の市販のディスプレイの中に各表示部を設けたり、各表示部をそれぞれドットマトリクスや７セグメント等の液晶、有機ＥＬやＬＥＤ等のディスプレイとして構成することもできる。
【００１７】
また、買取可能景品を金地金により構成する場合には、図２に示すように、金地金の重量（図示したものでは、２．０ｇ、０．５ｇ、０．３ｇ）に応じて各買取可能景品Ａ〜Ｃが分類されることになる。この場合には、買取可能景品の交換額についても、金地金の単位重量当たりの交換額（図示したものでは、０．１ｇ）に応じて算出することができる。このため、貴金属商のサーバに入力された金地金の単位重量当たりの交換額に、各買取可能景品の金地金重量を乗算して各買取可能景品の小売価格及び買取価格を算出するための演算手段を、レート表示装置１０や該レート表示装置１０に接続されたパソコン等に設けるようにすれば、買取可能景品の小売価格及び買取価格を表示するためのデータの入力を省くことが可能となる。尚、演算手段は、上記計算固有の演算を行うＩＣやＣＰＵ及び必要に応じて記録媒体としてのメモリー等の公知の手段により実装することができる。
【００１８】
また、レート表示装置１０は、前記貴金属類の買取を行う買取用端末を介して、前記貴金属類の保護預かり口座を開設している前記貴金属商のサーバと接続されて、売買システムを構成することが好ましい。貴金属商のサーバから取得される交換額のデータを、レート表示装置と、買取用端末とでそれぞれ行った場合に交換レートが異なることを防ぐことができるからである。
【００１９】
次に、本発明の貴金属類売買システムに関して、上記説明したレート表示装置１０を景品買取所に設置した例を図３を参照して説明する。
景品買取所の内側（作業者側）には、買取可能景品を計数するための計数端末１１、買取用端末１２、買取時の明細書を発行するための印刷手段１４が設けられ、景品買取所の外側（買取希望者側）には、ＩＣカード等の情報記録媒体に記録された口座番号や本人識別情報等の情報を読み取るための読取手段２６、買取を希望する者が貴金属商サーバに対して本人認証を行うために暗証番号等を入力するためのキーボード等の入力手段２７が配置される。尚、景品買取所の外側（買取を希望する者側）に向けて、レート表示装置１０及び売却した貴金属類の種類や重量及び売却額を表示するための表示装置２５が配置される。
買取用端末１２は、レート表示装置１０、計数端末１１、同端末から送られた情報を表示するための表示手段１２ａ、印刷手段１４、読取手段２６、入力手段２７、取引結果表示装置２５及び専用の通信回線１６を経由して貴金属商のサーバ１５に接続されており、各手段乃至装置との間で処理された情報を表示手段１２ａに表示する。
【００２０】
上記構成において、買取希望者が買取可能景品１３の売却を行う場合と、貴金属商のサーバ１５の保護預かり口座に預けられた貴金属類の売却を行う場合とを分けて以下に説明する。
【００２１】
（買取可能景品の売却を行う場合）
買取希望者は、景品買取所の作業者に同景品を渡し、作業者は、計数端末１１により買取可能景品１３を計数し、計数結果（買取可能景品の種類、各種類毎の枚数及び図１で示される買取価格（買取価格表示部１（ｂ）〜３（ｂ）に表示された買取価格）による総買取額）が、表示手段１２ａ及び表示装置２５に表示されることになる。そして、この表示された総売却額を買取希望者に、印刷手段１４により印刷された明細書とともに手渡すことで買取可能景品１３の売却を終了する。
【００２２】
（貴金属類の売却を行う場合）
買取希望者は、自己の保護預かり口座についての情報が記録されたＩＣカード等の情報記録媒体を読み取り手段２６により読み取らせた後、キーボード等の入力手段２７により暗証番号の入力を行うことで貴金属商のサーバ１５において本人の認証を行い、売却量が保護預かり口座の残高の範囲内であれば、保護預かり口座の残高から売却量を引き、買取価格（売却量に、図１で示される貴金属類の単位重量当たりの買取価格（買取価格表示部７（ｂ）に表示された価格を乗算して得られた買取価格）が、表示手段１２ａ及び取引結果表示装置２５に表示されるとともに、表示手段１２ａに作業者に対して総売却額を支払うように指示乃至許可をする。そして、この表示された総買取額を買取希望者に、印刷手段１４により印刷された明細書とともに手渡すことで貴金属類の売却を終了する。
【００２３】
尚、上記２種類の売却を行う場合について説明したが、これら２種類の売却は並行して行うことも当然可能である。
また、上記構成においては、各々の端末や手段は物理的に別体として構成されているが、銀行等において使用されるＡＴＭの端末のように一体型としてもよい。
【００２４】
上記貴金属類売買システムにおける貴金属商のサーバ１５は、図４に示すように、遊技場の景品交換カウンターに設けられているＰＯＳレジスター１７と通信回線１６を介して接続されることが好ましい。
図示したものは遊技場におけるＰＯＳレジスター１７の説明をするためのものであり、遊技場のカウンターの内側には、ＰＯＳレジスター１７及び交換用端末１８が設けられている。また、遊技場のカウンターの外側には、遊技者の保護預かり口座についての情報が記録されたＩＣカード等の情報記録媒体を読み取るための情報記録媒体の読取手段１９が設けられ、また、外側に向けて、獲得した遊技媒体の貴金属類への交換レートを表示するための遊技媒体のレート表示装置２０（図５）及び貴金属類の交換量等を表示するための取引結果表示装置２４が設けられている。
交換用端末１８には、専用の通信回線１６を介して貴金属商のサーバー１５、ＰＯＳレジスター１７、表示手段１８ａ、情報記録媒体の読取手段１９、遊技媒体の交換レート表示装置２０及び取引結果表示装置２４にそれぞれ接続されており、各手段乃至装置との間で処理された情報を表示手段１８ａに表示する。
【００２５】
上記構成において、遊技者が獲得した遊技媒体２１は計数機２２により計数され、計数機２２から遊技媒体２１の総数等を表示したレシート２３を発行する。このレシート２３に記録された遊技媒体の総数等がＰＯＳレジスター１７により読み込まれる。
【００２６】
ここで、遊技者が、買取可能景品１３に交換する場合と、貴金属商のサーバ１５の保護預かり口座に預けることができる貴金属類に交換する場合とを分けて以下に説明する。
【００２７】
（買取可能景品に交換する場合）
ＰＯＳレジスター１７において、獲得した遊技媒体の総数により交換可能な買取可能景品１３の種類と数量を算出し、遊技客が遊技媒体２１を買取可能景品１３と交換することを希望する場合には、算出された買取可能景品１３を提供するとともに、買取可能景品１３の種類と数量等が、ＰＯＳレジスター１７に表示される。
【００２８】
（保護預かり口座に預けることができる貴金属類に交換する場合）
ＰＯＳレジスター１７はレシート２３を読み取ると、獲得した遊技媒体の総数により交換可能な貴金属類の総量を回答し、遊技者が遊技媒体２１を貴金属類に交換することを希望する場合には、遊技者が交換用端末１８に接続された情報記録媒体の読取手段１９により、ＩＣカード等の情報記録媒体を読み取らせて、交換する貴金属類を受け取る手段として、遊技者自身が貴金属商と契約し、開設した保護預かり口座に預けることを指示する。この際、貴金属類の交換量や自身の保護預かり口座の残高、その時点での交換レート（小売額）が取引結果表示装置２４に表示され、それと同時に貴金属商のサーバ１５に遊技客が預けた貴金属類の重量及び総量等が記録される。
【００２９】
上記各々の構成によれば、ＰＯＳレジスター１７は遊技者が獲得した遊技媒体２１の総数を読み取るだけで、獲得した遊技媒体２１が、どれ位の量で買取可能景品１３または貴金属類へと交換できるのかを、確認することができ、また、この時の交換レート（小売額）は、貴金属商のサーバ１５を介して景品買取所に表示されている交換レート（小売額）と整合性が保たれるため混乱することがない。
【符号の説明】
【００３０】
１，２，３      レート表示部
４，５，６      買取可能景品の種類表示部
７              貴金属類のレート表示部
１０              レート表示装置
１１              計数用端末
１２              買取用端末
１２ａ            表示手段
１３              買取可能景品
１４              印刷手段
１５              貴金属商のサーバ
１６              通信手段
１７              ＰＯＳレジスター
１８              交換用端末
１９              情報記録媒体の読取手段
２０              表示装置
２１              遊技媒体
２２              計数機
２３              レシート
２４              遊技者用表示装置
２５              売却した貴金属類の種類や重量及び売却額を表示するための表示装置
２６              情報記録媒体の読取手段
２７              キーボード等の入力手段
２８，２９，３０  レート表示部
３１，３２，３３  買取可能景品の種類表示部
３４              貴金属類のレート表示部
【図３】
2010227185.tif 000003
【図４】
2010227185.tif 000004
【図１】
2010227185.tif 000005
【図２】
2010227185.tif 000006
【図５】
2010227185.tif 000007